(57)【要約】【課題】検知対象の検知感度を電気的な処理を行うことなく容易に行える近接スイッチ装置および照明制御システムを提供する。【解決手段】近接スイッチ装置１は、赤外線を放射させる赤外線発光手段１４，１５と、赤外線が物体により反射された反射赤外線を検知する赤外線受光手段１６，１７と、前記物体と赤外線受光手段１６，１７の間に配設され、可視光を遮断し、前記赤外線を所定の透過率で透過させる赤外線透過部材１８と、赤外線受光手段１６，１７により前記反射赤外線が検知される毎に負荷１０のオンオフを反転制御する負荷制御手段１３，２０とを具備している。【選択図】図４
2008010351.tif 000002
【特許請求の範囲】
【請求項１】
赤外線を放射させる赤外線発光手段と；
前記赤外線が物体により反射された反射赤外線を検知する赤外線受光手段と；
前記物体と赤外線受光手段の間に配設され、可視光を遮断し、前記赤外線を所定の透過率で透過させる赤外線透過部材と；
赤外線受光手段により前記反射赤外線が検知される毎に負荷のオンオフを反転制御する負荷制御手段と；
を具備していることを特徴とする近接スイッチ装置。
【請求項２】
赤外線透過部材は、厚さが大きくなるにしたがい赤外線透過率が一定の割合で減少する平板からなり、その厚さによって赤外線透過率が決定されていることを特徴とする請求項１記載の近接スイッチ装置。
【請求項３】
赤外線透過部材は、その表面が塗料で印刷され、塗料の塗膜の厚さまたは印刷パターンによって赤外線透過率が決定されていることを特徴とする請求項１記載の近接スイッチ装置。
【請求項４】
赤外線透過部材は、貼付可能なフィルムからなることを特徴とする請求項３記載の近接スイッチ装置。
【請求項５】
請求項１ないし４いずれか一記載の近接スイッチ装置と；
この近接スイッチ装置によりオンオフ制御される照明負荷およびこの照明負荷を配設している器具本体を有してなる照明装置と；
を具備していることを特徴とする照明制御システム。
【発明の詳細な説明】
【技術分野】
【０００１】
本発明は、スイッチに近接することで負荷のオンオフ操作が可能な近接スイッチ装置およびこの近接スイッチ装置を具備する照明制御システムに関する。
【背景技術】
【０００２】
赤外線発光素子から放射された赤外線を指や手などで反射させて赤外線受光素子で検出することにより、非接触で負荷の入切を行う近接スイッチ装置が提案されている。この近接スイッチ装置は、赤外線受光素子が検出する反射赤外線の大小に基づいて指や手などの検知対象が検知され、赤外線受光素子から検知対象までの距離に対する検知感度が設定されている。
【０００３】
例えば、手をかざして反射させた反射波を受光器で受信し、フィルター回路で反射波に含まれるノイズを除去し、ノイズが除去された反射波を増幅回路で増幅して検知感度の調整を行っている光信号式スイッチ装置が提案されている（特許文献１参照。）。この従来技術の光信号式スイッチ装置は、受光器からの信号に含まれるノイズを最初にフィルター回路にて除去し、その後に増幅回路で増幅するので、増幅回路の出力の歪みによる高調波成分を投光器からの光信号であると判定することがなくなり誤動作を防止できるというものである。
【０００４】
また、光を検知対象に向けて窓部を透過して照射する発光素子と、検知対象からの反射光を受光する受光素子とが同軸状に配置され、窓部の位置から所定距離離隔した位置で検知感度がピークとなるように構成した反射型光センサが提案されている（特許文献２参照。）。この従来技術の反射型光センサは、前記構成要件により、透光性の窓部に汚れや水滴等が付着した場合においても、最短距離にある汚れや水滴等を光センサが感度高く検知することなく、指や手などの本来の検知対象を正確に検知するというものである。
【特許文献１】特開２００４−２８９５１８号公報（第５頁、第１図）
【特許文献２】特開２００５−１８１１５７号公報（第５頁、第１図）
【発明の開示】
【発明が解決しようとする課題】
【０００５】
特許文献１の光信号式スイッチ装置は、検知対象に対する検知距離に応じて増幅回路の増幅率を変化させるので、ゲイン切換用スイッチが必要である。このため、当該スイッチの基板でのレイアウトやこの基板を収納する筺体の構造に制約が生じることがあり、当該スイッチへの配線の引き回しにより外来ノイズによる悪影響があるなどの問題がある。また、検知感度を変更するときに、蓋を開けて前記スイッチを操作するので、面倒であり、省力化が図りにくいという問題があった。
【０００６】
また、特許文献２の反射型光センサは、窓部の位置から所定距離離隔した位置で検知感度が最大（ピーク）となるように、例えば発光素子の光の照射角度が設定されるので、窓部の位置からの所定距離に応じて当該設定を都度行うことになり、当該設定が面倒で手間を要するという欠点を有する。
【０００７】
本発明は、検知対象の検知感度を電気的な処理を行うことなく容易に行える近接スイッチ装置および照明制御システムを提供することを目的とする。
【課題を解決するための手段】
【０００８】
請求項１に記載の近接スイッチ装置の発明は、赤外線を放射させる赤外線発光手段と；前記赤外線が物体により反射された反射赤外線を検知する赤外線受光手段と；前記物体と赤外線受光手段の間に配設され、可視光を遮断し、前記赤外線を所定の透過率で透過させる赤外線透過部材と；赤外線受光手段により前記反射赤外線が検知される毎に負荷のオンオフを反転制御する負荷制御手段と；を具備していることを特徴とする。
【０００９】
本発明および以下の各発明において、特に言及しない限り、各構成は以下による。
【００１０】
「物体」とは、指、手などの人体に限らず、例えば金属からなる板や棒など、赤外線を反射するものであればよい。
【００１１】
赤外線透過部材は、可視光を遮断するとともに、赤外線発光手段から放射された赤外線を所定の透過率で透過させるものであれば、材質、形状等は特に問わない。赤外線透過部材において可視光が遮断されることにより、赤外線受光手段でのノイズが抑制される。
【００１２】
負荷は、照明用ランプ、換気扇など、電力を消費するものであればよい。
【００１３】
「反射赤外線が検知される毎に」とは、反射赤外線が検知されていない状態から反射赤外線が検知されたときであって、連続的に反射赤外線が検知されているときは含まない。
【００１４】
「負荷のオンオフを反転制御」とは、負荷がオン状態のときはオフし、オフ状態のときはオンすることをいう。この反転制御は、即時制御または遅延制御を問わない。
【００１５】
本発明によれば、赤外線発光手段から放射されて物体により反射される赤外線が赤外線透過部材に透過されることにより、赤外線透過部材の透過率に応じて、前記反射赤外線が赤外線受光手段により検知される。したがって、赤外線受光手段と物体との検知距離の設定に応じて、所定の透過率を有する赤外線透過部材を設けることにより、物体に対する検知感度の調整が容易に行える。
【００１６】
請求項２に記載の近接スイッチ装置の発明は、請求項１記載の近接スイッチ装置において、赤外線透過部材は、厚さが大きくなるにしたがい赤外線透過率が一定の割合で減少する平板からなり、その厚さによって赤外線透過率が決定されていることを特徴とする。
【００１７】
赤外線受光手段と物体との検知距離を小さくする（物体に対する検知感度を小さくする）には、赤外線透過部材の厚さを大きくして透過する赤外線を減少させ、赤外線受光手段と物体との検知距離を大きくする（物体に対する検知感度を大きくする）には、赤外線透過部材の厚さを小さくして透過する赤外線を増加させるようにする。
【００１８】
本発明によれば、赤外線透過部材は、厚さが大きくなるにしたがい赤外線透過率が一定の割合で減少する平板からなるので、所定の透過率を厚さによって設定することができる。そして、赤外線受光手段と物体との検知距離の設定に応じて、所定の厚さを有する赤外線透過部材を設けることにより、物体に対する検知感度の調整が行える。
【００１９】
請求項３に記載の近接スイッチ装置の発明は、請求項１記載の近接スイッチ装置において、赤外線透過部材は、その表面が塗料で印刷され、塗料の塗膜の厚さまたは印刷パターンによって赤外線透過率が決定されていることを特徴とする。
【００２０】
赤外線透過率は、赤外線透過部材に入射する赤外線に対する赤外線透過部材を透過して出射する赤外線の比率である。
【００２１】
塗料の塗膜の厚さによって赤外線の透過率を変化させるときは、塗料は、赤外線を透過する材料等で形成されている。ここで、物体に対する検知感度を小さくするには、塗膜の厚さを大きくして透過する赤外線を減少させ、物体に対する検知感度を大きくするには、塗膜の厚さを小さくして透過する赤外線を増加させるようにする。また、塗料の印刷パターンによって赤外線の透過率を変化させるときには、塗料は、赤外線透過のものでなくてもよい。塗料の色は、特に問わない。
【００２２】
本発明によれば、赤外線透過部材の所定の透過率を塗料の塗膜の厚さまたは印刷パターンによって決定することができる。そして、赤外線受光手段と物体との検知距離の設定に応じて、所定の塗料の塗膜の厚さまたは印刷パターンを有する赤外線透過部材を設けることにより、物体に対する検知感度の調整が容易に行える。
【００２３】
請求項４に記載の近接スイッチ装置の発明は、請求項３記載の近接スイッチ装置において、赤外線透過部材は、貼付可能なフィルムからなることを特徴とする。
【００２４】
本発明によれば、赤外線受光手段と物体との間において、フィルムからなる所定の赤外線透過率の赤外線透過部材を貼付することにより、物体に対する検知感度の調整または変更が容易に行える。
【００２５】
請求項５に記載の近接スイッチ装置の発明は、請求項１ないし４いずれか一記載の近接スイッチ装置と；この近接スイッチ装置によりオンオフ制御される照明負荷およびこの照明負荷を配設している器具本体を有してなる照明装置と；を具備していることを特徴とする。
【００２６】
本発明によれば、請求項１ないし４いずれか一記載の近接スイッチ装置により照明負荷がオンオフ制御される照明装置を具備する照明制御システムが提供される。
【発明の効果】
【００２７】
請求項１の発明によれば、所定の赤外線透過率を有する赤外線透過部材を赤外線受光手段と物体との間に設けるので、物体の検知距離の設定に対する近接スイッチ装置の構成を簡素にすることができ、近接スイッチ装置を安価に形成することができる。
【００２８】
請求項２の発明によれば、赤外線透過部材は、厚さが大きくなるにしたがい赤外線透過率が一定の割合で減少する平板からなるので、所定の厚さを有する赤外線透過部材を赤外線受光手段と物体との間に容易に設けることができ、この結果、近接スイッチ装置の製造コストを安価にすることができる。
【００２９】
請求項３の発明によれば、赤外線受光手段と物体との間に所定の塗料の塗膜の厚さまたは印刷パターンを有する赤外線透過部材を設けるので、物体の検知距離の設定における省力化を図ることができ、近接スイッチ装置を安価に形成することができる。
【００３０】
請求項４の発明によれば、フィルムからなる所定の赤外線透過率の赤外線透過部材を貼付することにより、近接スイッチ装置の省スペース化を図ることができるとともに、物体に対する検知感度の調整または変更における省力化を図ることができる。
【００３１】
請求項５の発明によれば、請求項１ないし４いずれか一記載の近接スイッチ装置により照明負荷がオンオフ制御される照明装置を具備する照明制御システムを提供することができる。
【発明を実施するための最良の形態】
【００３２】
以下、本発明の一実施の形態について、図面を参照して説明する。まず、本発明の第１の実施形態について説明する。
【００３３】
図１ないし図４は、本発明の第１の実施形態を示し、図１は近接スイッチ装置であり、（ａ）は概略正面図、（ｂ）は概略側面図、図２は造営物に配設された状態の近接スイッチ装置の概略正面図、図３は近接スイッチ装置の一部切り欠き概略側面図、図４は近接スイッチ装置を用いた３線式の照明制御システムを示すブロック図である。
【００３４】
図１において、近接スイッチ装置１は、略箱状に形成されて電子部品等を収納している器体２およびこの器体２を固定している取付枠３を有して形成されている。そして、器体２は、前面２ａに長方形状のプレート４が配設され、このプレート４の中央部に赤外線の放射光および反射光が通過する透光プレート５および表示光を通過させる透光プレート６がそれぞれ配設されている。
【００３５】
近接スイッチ装置１は、壁などの造営物の内部に設けられているスイッチボックスに取付枠３がねじ止めされることにより、造営物に配設される。そして、図２に示すように、取付枠３を覆い隠すようにして化粧カバー７が取り付けられている。
【００３６】
図４に、近接スイッチ装置１を用いた３線式の照明制御システム８を示す。照明制御システム８は、近接スイッチ装置１および照明装置９を有して構成されている。照明装置９は、負荷としての照明負荷１０および照明負荷１０を配設している器具本体１１を有して形成されている。照明負荷１０は、交流電源Ｖｓに並列的に接続され、近接スイッチ装置１によりオンオフ制御される。
【００３７】
そして、近接スイッチ装置１は、交流電源Ｖｓに接続されている電源部１２、各種制御を行う主制御部１３、赤外線発光ダイオード（以下、赤外ＬＥＤという。）１４を有する赤外ＬＥＤ発光部１５、赤外線を受光するフォトトランジスタ１６を有する赤外線受光検知部１７、赤外ＬＥＤ１４およびフォトトランジスタ１６の前方に配設された赤外線透過部材１８、透光プレート６および器体２の内部に配設された表示・ＳＷ操作部１９、照明負荷１０のオンオフを反転制御する負荷制御インターフェース（Ｉ／Ｆ）部２０を有して構成されている。
【００３８】
電源部１２は、交流電源Ｖｓの交流電圧を所定の直流電圧に変換して、回路駆動電源を生成する。主制御部１３は、電源部１２からの回路駆動電源により駆動するマイクロコンピュータを有してなり、負荷制御Ｉ／Ｆ部２０の制御など、各種制御を行うように構成されている。
【００３９】
赤外ＬＥＤ発光部１５は、主制御部１３の制御に基づいて赤外ＬＥＤ１４から所定のタイミングで赤外線を放射させる。例えば、赤外ＬＥＤ１４から１００ｍｓの時間間隔で１０ｍｓの時間に亘り赤外線を放射させる。赤外ＬＥＤ１４から放射された赤外線は、赤外線透過部材１８を透過して透光プレート５から前方に出射される。赤外ＬＥＤ１４および赤外ＬＥＤ発光部１５は、赤外線発光手段を形成している。
【００４０】
赤外線受光検知部１７は、フォトトランジスタ１６が受光した赤外線のうち、赤外ＬＥＤ１４から放射された赤外線が物体により反射された反射赤外線を検知するように構成されている。この反射赤外線の検知は、例えば赤外ＬＥＤ１４から放射されている赤外線のタイミングと、フォトトランジスタ１６が受光した赤外線のタイミングが同期しているときに、フォトトランジスタ１６が受光した赤外線が赤外ＬＥＤ１４から放射された赤外線が物体により反射された反射赤外線であると判定する。物体は、通常、透光プレート５の前方に近接してかざされた人体の手や指などである。フォトトランジスタ１６が受光する赤外線は、透光プレート５から入光して赤外線透過部材１８を透過する。フォトトランジスタ１６および赤外線受光検知部１７は、前記反射赤外線を検知する赤外線受光手段を形成している。
【００４１】
赤外ＬＥＤ１４およびフォトトランジスタ１６は、図３に示すように、器体２内に配設された箱体２１から突出するように設けられ、それぞれの周囲が壁板２２により囲まれている。この壁板２２は、赤外ＬＥＤ１４から放射された赤外線がフォトトランジスタ１６に直接入射することを防止している。箱体２１内には、赤外ＬＥＤ１４およびフォトトランジスタ１６等を除く近接スイッチ装置１の残余の構成部が収納されている。
【００４２】
そして、壁板２２に、赤外ＬＥＤ１４およびフォトトランジスタ１６に対向して赤外線透過部材１８が配設されている。赤外線透過部材１８は、壁板２２に貼り付けまたは螺子により固定されている。
【００４３】
赤外線透過部材１８は、厚さが大きくなるにしたがい赤外線透過率が一定の割合で減少する長方形の平板からなり、所定の厚さに形成され、所定の赤外線透過率を有している。赤外線透過部材１８は、例えばアクリル材からなり、可視光を遮断する顔料を含み、あるいは、表面に可視光を遮断する干渉膜が形成されている。すなわち、赤外線透過部材１８は、可視光を遮断するとともに、赤外ＬＥＤ１４から放射された赤外線および物体により反射された反射赤外線をそれぞれ透過し、赤外線受光検知部１７に検知される前記反射赤外線を調整している。
【００４４】
図４において、赤外線受光検知部１７が検知した前記反射赤外線は、主制御部１３で演算処理される。主制御部１３は、赤外受光検知部１７が前記所定のタイミングで連続的に検知している前記反射赤外線を演算する。そして、透光プレート５の前方に手や指などがかざされなくなって、フォトトランジスタ１６での前記反射赤外線の連続の受光が途切れると、前記演算処理を終了する。そして、再び赤外線受光検知部１７が前記反射赤外線を検知すると、前段の演算処理をリセットして、連続する前記反射赤外線を再び演算処理する。そして、赤外線受光検知部１７が検知した前記反射赤外線が所定値（所定の強度）以上のときに、負荷制御Ｉ／Ｆ２０に照明負荷１０のオンオフを反転制御する制御信号を送出する。
【００４５】
表示・ＳＷ操作部１９は、主制御部１３による制御状態を表示すると共に、ユーザーが操作入力する不図示のスイッチを有している。また、表示において、照明負荷１０のオンオフ制御に応じて、透光プレート６を通過する表示色や透過光の強度などを変化させている。
【００４６】
負荷制御Ｉ／Ｆ部２０は、例えばリレーを備え、主制御部１３からの制御信号により照明負荷１０のオンオフを反転制御するように形成されている。すなわち、主制御部１３は、赤外受光検知部１７により所定値以上の前記反射赤外線が検知される毎に、照明負荷１０のオンオフが反転制御するように負荷制御Ｉ／Ｆ部２０を制御する。主制御部１３および負荷制御Ｉ／Ｆ部２０は、前記反射赤外線の検知に応じて照明負荷１０のオンオフを反転制御する負荷制御手段を形成している。
【００４７】
次に、本発明の第１の実施形態の作用について述べる。
【００４８】
負荷制御手段としての主制御部１３および負荷制御Ｉ／Ｆ部２０は、赤外受光検知部１７により所定値以上の前記反射赤外線が検知される毎に、照明負荷１０のオンオフを反転制御する。そして、赤外受光検知部１７により検知される前記反射赤外線の強度は、プレート４と手や指などの物体との距離に応じて増減する。例えば、プレート４と物体との距離が大きくなると、赤外ＬＥＤ１４から放射された赤外線のうち物体により反射される反射赤外線の割合が小さくなり、反射赤外線のうちフォトトランジスタ１６に受光される割合が小さくなる。
【００４９】
プレート４と物体との距離が大きい状態で、赤外受光検知部１７により所定値以上の前記反射赤外線が検知されると、例えば近接スイッチ装置１の前方を人が通過したときに照明負荷１０が不所望に反転制御されるという不具合が生じる。そこで、物体がプレート４から所定距離に位置するときに、赤外受光検知部１７により所定値以上の前記反射赤外線が検知されるように、前記反射赤外線の検知が調整される。すなわち、物体に対する検知感度の調整が行われる。
【００５０】
そして、前記反射赤外線の検知に対する調整は、赤外ＬＥＤ１４およびフォトトランジスタ１６と、透光プレート５との間に設けられている赤外線透過部材１８によって行われている。赤外線透過部材１８には、赤外ＬＥＤ１４から放射された赤外線およびフォトトランジスタ１６に入射する物体からの反射赤外線が透過する。これにより、前記赤外線および前記反射赤外線のそれぞれの強度は、赤外線透過部材１８を透過したときに減少する。そして、赤外線透過部材１８は、赤外線透過率が所定の透過率に設定され、物体がプレート４から所定距離に位置するときに、赤外受光検知部１７により所定値以上の前記反射赤外線が検知されるようにしている。
【００５１】
そして、赤外線透過部材１８は、可視光を遮断するので、その厚さが大きくなるにしたがい透過する可視光が非常に小さくなるので、赤外受光検知部１７でのノイズが抑制される。
【００５２】
このように、物体のプレート４からの検知距離に応じて、所定の赤外線透過率を有する赤外線透過部材１８が赤外ＬＥＤ１４およびフォトトランジスタ１６と透光プレート５との間に設けられることにより、物体に対する検知感度の調整が容易に行える。そして、赤外ＬＥＤ１４およびフォトトランジスタ１６と透光プレート５との間に赤外線透過部材１８を設けるのみであるので、物体に対する検知感度の調整のための構成が簡素であり、これにより、近接スイッチ装置１を安価に形成することができる。
【００５３】
また、赤外線透過部材１８は、厚さが大きくなるにしたがい赤外線透過率が一定の割合で減少する平板からなるので、物体のプレート４からの検知距離に応じた所定の赤外線透過率を所定の厚さによって決定することができる。したがって、所定の厚さを有する外線透過部材１８を赤外ＬＥＤ１４およびフォトトランジスタ１６と透光プレート５との間に設けることにより、物体に対する検知感度の調整が容易に行うことができるとともに、近接スイッチ装置１を安価に形成することができる。
【００５４】
なお、赤外線透過部材１８は、フォトトランジスタ１６と透光プレート５との間に設けられてもよい。この場合、赤外線透過部材１８は、赤外線透過率が低下するように変更される。
【００５５】
次に、本発明の第２の実施形態について説明する。
【００５６】
図５および図６は、本発明の第２の実施形態を示し、図５は近接スイッチ装置の概略正面図、図６は異なる透過率を示す赤外線透過部材の概略正面図である。なお、図２と同一部分には同一符号を付して説明は省略する。
【００５７】
図５に示す近接スイッチ装置２４は、図１ないし図３に示す近接スイッチ装置１において、赤外線透過部材１８に代えて、透光プレート５を覆うようにしてフィルムからなる赤外線透過部材２５が貼付されたものである。赤外線透過部材２５の表面２５ｆには、小円の印刷体２６が塗料により所定の印刷パターンで印刷されている。印刷体２６は、赤外線を透過しない。そして、印刷体２６は、物体がプレート４から所定距離に位置するときに、赤外受光検知部１７により所定量以上の前記反射赤外線が検知されるように、印刷パターンにおいてその数量が設定（決定）されている。
【００５８】
そして、物体のプレート４からの検知距離に応じて、赤外線透過部材２５を変更することができる。図６は、印刷体２６の印刷パターンにより、赤外線透過部材２５の赤外線透過の度合いが異なることを示したものである。図６（ａ）に示す赤外線透過部材２５ａは、印刷体２６が最も多いので、最も赤外線を透過しなく、図６（ｅ）に示す赤外線透過部材２５ｅは、印刷体２６が最も少ないので、最も赤外線を透過する。したがって、物体のプレート４からの検知距離を大きくするにしたがい、順次、赤外線透過部材２５ａないし赤外線透過部材２５ｅを用いることにより、物体に対する感度調整が容易に行える。そして、赤外線透過部材２５ａないし赤外線透過部材２５ｅを重ねるようにして透光プレート５の上面に貼付することもできる。
【００５９】
上述したように、フィルムからなる赤外線透過部材２５を透光プレート５に貼付するのみで、物体のプレート４からの検知距離の設定、すなわち物体に対する検知感度の調整が容易に行える。これにより、近接スイッチ装置２４の省スペース化、当該調整における省力化を図ることができ、さらに近接スイッチ装置２４を安価に形成することができる。
【００６０】
なお、赤外線透過部材２５は、印刷体２６の数量によらず、赤外線透過の塗料により表面２５ｆを印刷して、塗料の塗膜の厚さによって所定の赤外線透過率を決定するようにしてもよい。
【図面の簡単な説明】
【００６１】
【図１】本発明の第１の実施形態を示す近接スイッチ装置であり、（ａ）は概略正面図、（ｂ）は概略側面図。
【図２】同じく、造営物に配設された状態の近接スイッチ装置の概略正面図。
【図３】同じく、近接スイッチ装置の一部切り欠き概略側面図。
【図４】同じく、近接スイッチ装置を用いた３線式の照明制御システムを示すブロック図。
【図５】本発明の第２の実施形態を示す近接スイッチ装置の概略正面図
【図６】同じく、異なる透過率を示す赤外線透過部材の概略正面図。
【符号の説明】
【００６２】
１，２４…近接スイッチ装置
８…照明制御システム
９…照明装置
１３…負荷制御手段を構成する主制御部
１５…赤外線発光手段としての赤外ＬＥＤ発光部
１７…赤外線受光手段としての赤外受光検出部
１８，２５…赤外線透過部材
２０…負荷制御手段を構成する負荷制御インターフェース（Ｉ／Ｆ）部
【図１】
2008010351.tif 000003
【図２】
2008010351.tif 000004
【図３】
2008010351.tif 000005
【図４】
2008010351.tif 000006
【図５】
2008010351.tif 000007
【図６】
2008010351.tif 000008